(57)【要約】      （修正有）【課題】バスケットの着脱が容易で、場所を取らない脱水桶を提供する。【解決手段】脱水桶２０は、桶体２１、底座２２、駆動機構２３、伝動軸２４およびバスケット２５を備える。桶体２１は、頂面に軸座２１２が設けられている収容空間２１１を有する。伝動軸２４は上端が軸座２１２に突出する。バスケット２５の底部の中央の連結座２５１と伝動軸２４の突出端部２４２とは接続され、連動構成を構築するため、バスケット２５を桶体２１の上方から装着することが可能である。【選択図】図４
0003158585.tif 000002
【実用新案登録請求の範囲】
【請求項１】
底部の前側が陥没して形成された収容空間と、収容空間の頂面に形成された軸座と、を有する桶体と、
収容空間内に装着される二つの支持部を有する底座と、
回転駆動力を生成するため二つの支持部間に装着される駆動機構と、
収容空間内に配置され、底端が駆動機構によって駆動される伝動軸と、
伝動軸によって駆動されるバスケットと、
を備え、
伝動軸は上端が軸座に突出し、バスケットの中央の連結座と伝動軸の突出端部とは接続され、連動構成を構築するため、バスケットを桶体の上方から装着可能であることを特徴とする脱水桶。
【請求項２】
伝動軸の突出端部は、中段部位に弾性及び可撓性材から構成されるストッパーを有し、ストッパーは上段部の上が細く下が広い錐体に形成され、中央に軸孔を有し、軸孔は伝動軸の中段部の環状陥没溝の外径に対応するように形成され、かつ伝動軸の環状陥没溝に嵌合されるため、錐体の底部に伝動軸の外径に突出する固定面が形成され、バスケットの連結座は底面に下向きの開口部を有する連結孔を有し、連結孔は内部にストッパーに対応する制止面を有し、バスケットを装着する際、伝動軸の突出端部に連結座を被り、ストッパーを制止面に固定することによってバスケットが伝動軸上を回転する際、逸脱が発生することを防止可能であることを特徴とする請求項１に記載の脱水桶。
【請求項３】
伝動軸の突出端部とバスケットの連結孔とは、接続され、連動構成を構築するための非円形の固定面を有することを特徴とする請求項２に記載の脱水桶。
【請求項４】
軸座と伝動軸との間は、軸受を有し、伝動軸は軸受上に形成された突出縁部を有することを特徴とする請求項２に記載の脱水桶。
【請求項５】
伝動軸の突出端部は、端面に形成されたねじ孔を有し、バスケットの連結座は、突出端部に被さる連結孔を有し、かつ、ねじによって固定されることを特徴とする請求項１に記載の脱水桶。
【請求項６】
伝動軸の上端部とバスケットの連結孔とは、接続され、連動構成を構築するための非円形の固定面を有することを特徴とする請求項５に記載の脱水桶。
【請求項７】
軸座と伝動軸との間は軸受を有し、伝動軸は軸受上に形成された突出縁部を有することを特徴とする請求項５に記載の脱水桶。
【考案の詳細な説明】
【技術分野】
【０００１】
本考案は、脱水桶に関し、特に踏み込み式の脱水桶に関する。
【背景技術】
【０００２】
モップは床掃除に用いる重要な道具で、使用された後、ヘッド部の毛糸に汚れが付いてしまうため、再使用するには洗浄して水分を取り去る必要がある。毛糸の水分を取り去る過程において、手が汚水に触ることは使用者にとって悩ましいことである。
【０００３】
これに対し、モップの汚水を飛ばして取り去ることを可能にする脱水桶が業者によって開発された。このような脱水桶、例えば台湾実用新案第Ｍ３３８６３４号による脱水桶１０Ａは図１と図２に示すように、桶体１１、底座１２、駆動機構１３およびバスケット１４を備える。桶体１１は底部の前側が陥没して形成された収容空間１１０と、頂面に形成された軸座１１１とを有する。底座１２は二つの支持部１２１を有し、支持部１２１は収容空間１１０内に装着される。駆動機構１３は回転駆動力を生成するため二つの支持部１２１間に装着される。バスケット１４は底部に伝動軸１５を有し、伝動軸１５は上から軸座１１１を貫通し、収容空間１１０内に差し込まれ、駆動機構１３の一つの伝動ユニット１３１に接続されるため、使用者は駆動機構１３を踏み込むことによってバスケット１４を桶体１１内において回転させ、脱水を行なうことが可能である。
【０００４】
しかしながら、先行技術により掲示された脱水桶１０Ａは、伝動軸１５全体がバスケット１４に固定され、装着の際、上から収容空間１１０内に差し込まれ、駆動機構１３とともに底座１２上に連結されるため、装着に不便であるだけでなく、取り外すときに手間がかかる。
【０００５】
また、図３に示すように、従来の別の脱水桶１０Ｂは構成が脱水桶１０Ａとほぼ同じである。脱水桶１０Ａとの違いは、脱水桶１０Ｂの伝動軸１６が比較的短いことである。伝動軸１６は上から軸座１１を貫通し、伝動ユニット１３１に連結された後、底部からねじなどの締付ユニット１７によって固定されるため、バスケット１４を回転させて水を取り去る際、バスケット１４が逸脱することは発生しない。
【０００６】
しかしながら、脱水桶１０Ｂは伝動軸１６が締め付けられるため、直接桶体１１の上方の開口部から取り外し作業を行なうことができないだけでなく、着脱、修繕、運送などに不便である。従って、改善の余地がある。
【先行技術文献】
【特許文献】
【０００７】
【特許文献１】台湾実用新案第Ｍ３３８６３４号明細書
【考案の概要】
【考案が解決しようとする課題】
【０００８】
本考案の主な目的は、直接桶体の上方からバスケットの着脱を可能にすることによって着脱、使用、修繕、運送の便をはかり、場所を取らない脱水桶を提供することである。
【課題を解決するための手段】
【０００９】
上述の目的を達成するために、本考案の技術手段は、桶体、底座、駆動機構、伝動軸およびバスケットを備える。桶体は底部の前側が陥没して形成された収容空間を有し、収容空間は頂面に軸座を有する。底座は二つの支持部を有し、支持部は収容空間内に装着される。駆動機構は回転駆動力を生成するため二つの支持部間に装着される。伝動軸は収容空間内に配置され、底端が駆動機構によって駆動される。バスケットは伝動軸によって駆動される。
【００１０】
本考案の脱水桶は、踏み込み式であり、バスケットを装着する構成に特徴を有する。その特徴は次のとおりである。伝動軸は上端が軸座に突出し、バスケットの中央の連結座と伝動軸の突出端部とは接続され、連動構成を構築するため、バスケットを桶体の上方から装着することが可能である。
【図面の簡単な説明】
【００１１】
【図１】従来の踏み込み式脱水桶を示す分解斜視図。
【図２】従来の踏み込み式脱水桶の断面を示す模式図。
【図３】従来の別の踏み込み式脱水桶の断面を示す模式図。
【図４】本考案の一実施形態の脱水桶を示す分解斜視図。
【図５Ａ】本考案の一実施形態における伝動軸を示す分解斜視図。
【図５Ｂ】本考案の一実施形態における伝動軸を組み立てる状態を示す斜視図。
【図６】本考案の一実施形態におけるバスケットを上方から組み立てる状態を示す模式図。
【図７】本考案の一実施形態におけるバスケットが組み立てられた状態の断面を示す模式図。
【図８】図７の部分拡大図。
【図９】本考案の他の実施形態のうちの一部分の断面示す模式図。
【考案を実施するための形態】
【００１２】
以下、本考案による脱水桶を図面に基づいて説明する。
（一実施形態）
図４から図８に示すように、本考案の一実施形態による脱水桶２０は、桶体２１、底座２２、駆動機構２３、伝動軸２４およびバスケット２５を備える。
【００１３】
桶体２１は、底部の前側が陥没して形成された収容空間２１１を有し、収容空間２１１は頂面に軸座２１２を有する。
底座２２は、二つの支持部２２１を有し、支持部２２１は収容空間２１１内に装着される。
【００１４】
駆動機構２３は、回転駆動力を生成するため二つの支持部２２１間に装着される。本実施形態において駆動機構２３は、ペダル２３１、固定に用いるボルト２３２、スプリング２３３、歯列２３４、大傘型歯車２３５および小傘型歯車２３６から構成される。
伝動軸２４は、収容空間２１１内に配置され、底端が駆動機構２３によって駆動される。バスケット２５は、伝動軸２４によって駆動される。
【００１５】
その特徴は次のとおりである。伝動軸２４は上端が軸座２１２に突出する。バスケット２５の底部の中央の連結座２５１と伝動軸２４の突出端部２４２とは接続され、連動構成を構築するため、バスケット２５を桶体２１の上方から装着することが可能である。
【００１６】
上述した技術手段により、本考案はバスケットが取り外しにくいという従来の問題点を解決し、桶体２１の上方からバスケット２５の着脱を簡単に行なうことが可能である。
【００１７】
なお、本実施形態において、上述した装着の構成では、次のものを備えることが可能であるが、これには限らない。
伝動軸２４の突出端部２４２は中段部位にゴムなどの弾性及び可撓性材から構成されるストッパー２４１を有する。ストッパー２４１は上段部が上が細く下が広い錐体に形成され、中央に軸孔２４１１を有する。軸孔２４１１は伝動軸２４の中段部の環状陥没溝２４５の外径に対応するように形成され、かつ伝動軸２４の環状陥没溝２４５に嵌合されるため、錐体の底部に伝動軸２４の外径に突出する固定面が形成される。
【００１８】
バスケット２５の連結座２５１は底面に下向きの開口部を有する連結孔２５２を有する。連結孔２５２は内部にストッパー２４１に対応する制止面２５３を有する。バスケット２５を装着する際、伝動軸２４の突出端部２４２に連結座２５１を被り、ストッパー２４１を制止面２５３に固定することによってバスケット２５が伝動軸２４上を回転する際、逸脱が発生することを防止することが可能である。
【００１９】
伝動軸２４の突出端部２４２とバスケット２５の連結孔２５２とは接続され、連動構成を構築するための非円形の固定面を有する。軸座２１２と伝動軸２４との間は軸受２４４を有する。伝動軸２４は軸受２４４上に形成された突出縁部２４３を有する。
【００２０】
（他の実施形態）
図９に示すように、上方からバスケット２５を着脱する本考案の構造は、他の実施形態において次のとおりである。伝動軸２４の突出端部２４２は端面に形成されたねじ孔２４６を有し、バスケット２５の連結座２５１は突出端部２４２に被さる連結孔２５４を有し、かつねじ２６によって固定される。伝動軸２４および軸座２１２の構成は前述した実施形態とほぼ同じであるため、説明を省略する。
【００２１】
上述した実施形態における伝動軸２４は細長い形を呈するが、これには限らない。つまり、図３に示すように駆動機構２３の設計に応じ、伝動軸を短くすることが可能である。これも上方から取り外しを実施可能な本考案の範囲であるため、詳しい説明を省略する。
【符号の説明】
【００２２】
２０：脱水桶、２１：桶体、２１１：収容空間、２１２：軸座、２２：底座、２２１：支持部、２３：駆動機構、２３１：ペダル、２３２：ボルト、２３３：スプリング、２３４：歯列、２３５：大傘型歯車、２３６：小傘型歯車、２４：伝動軸、２４１：ストッパー、２４１１：軸孔、２４２：突出端部、２４３：突出縁部、２４４：軸受、２４５：環状陥没溝、２４６：ねじ孔、２５：バスケット、２５１：連結座、２５２：連結孔、２５３：制止面、２５４：連結孔
【図１】
0003158585.tif 000003
【図２】
0003158585.tif 000004
【図３】
0003158585.tif 000005
【図４】
0003158585.tif 000006
【図５Ａ】
0003158585.tif 000007
【図５Ｂ】
0003158585.tif 000008
【図６】
0003158585.tif 000009
【図７】
0003158585.tif 000010
【図８】
0003158585.tif 000011
【図９】
0003158585.tif 000012